(57)【要約】【課題】カバーを給湯管及び給水管の両方に取り付けることができる。【解決手段】カバー４０は、管体１２の前方を覆う前壁４０Ａと、管体１２の側方を覆うとともに、管体挿入用開口部４１を有する周壁４０Ｂとを備える。前壁４０Ａには、水栓本体側接続部１５を挿通可能な第１前側開口部４２と、水栓本体側接続部１５を挿通可能な第２前側開口部４３とが設けられ、第１前側開口部４２に水栓本体側接続部１５を挿通するように被せた際、壁面側接続部１４を挿通可能な第２後側開口部４４Ｂを有するとともに、第２前側開口部４３に水栓本体側接続部１５を挿通するように被せた際、壁面側接続部１４を挿通可能な第１後側開口部４４Ａを有する。【選択図】図２
2018104922.tif 000002
【特許請求の範囲】
【請求項１】
壁面と水栓本体との間に設置され、管本体と、管本体から前記水栓本体側に突出するように設けられた水栓本体側接続部と、管本体から前記壁面側に突出するように設けられた壁面側接続部とを有する管体に対して、側方から被せて用いるカバーであって、
前記管体の前方を覆う前壁と、前記管体の側方を覆うとともに、管体挿入用開口部を有する周壁とを備え、
前記前壁には、前記水栓本体側接続部を挿通可能な第１前側開口部及び第２前側開口部が設けられ、
前記第１前側開口部に前記水栓本体側接続部を挿通するように被せた際、前記壁面側接続部を挿通可能な第２後側開口部を有するとともに、前記第２前側開口部に前記水栓本体側接続部を挿通するように被せた際、前記壁面側接続部を挿通可能な第１後側開口部を有することを特徴とするカバー。
【請求項２】
前記管体は、前記管本体の前記水栓本体側に設けられた流量調整部を有し、
前記第１前側開口部に前記水栓本体側接続部を挿通した際、前記第２前側開口部から前記流量調整部が前面側に露出するとともに、前記第２前側開口部に前記水栓本体側接続部を挿通した際、前記第１前側開口部から前記流量調整部が前面側に露出する請求項１に記載のカバー。
【請求項３】
前記管体の後方を覆う後壁を備え、
前記第１後側開口部及び前記第２後側開口部は、前記管体挿入用開口部から前記後壁が切り欠かれて形成されている請求項１又は２に記載のカバー。
【請求項４】
前記後壁において、前記第１後側開口部は、前後方向において前記第１前側開口部に重なる位置に設けられ、前記第２後側開口部は、前記第２前側開口部に重なる位置に設けられている請求項３に記載のカバー。
【請求項５】
前記管体に対して位置決め状態に係合する係合部を備える請求項１〜４のいずれか一項に記載のカバー。
【請求項６】
請求項１〜５のいずれか一項に記載されたカバーと、前記水栓本体と、前記管体とを備えた水栓。
【発明の詳細な説明】
【技術分野】
【０００１】
本発明は、水栓本体に接続された給湯管や給水管に取り付けられるカバー及び該カバーを備えた水栓に関する。
【背景技術】
【０００２】
特許文献１には、図９に示すように、湯水混合栓に接続された給湯管に被せるカバー６０について記載されている。カバー６０の一側面に２つの切欠部６１が設けられるとともに、カバー６０の他側面に１つの切欠部６２が設けられている。カバー６０を給湯管に被せた際、２つの切欠部６１の一方に混合栓本体と給湯管の接合部が挿通するとともに、他方に水量調整部が配置される。また、カバー６０の他側面の切欠部６２に壁面と給湯管の接合部が挿通するように構成されている。
【先行技術文献】
【特許文献】
【０００３】
【特許文献１】特開平０８−２４６５２４号公報
【発明の概要】
【発明が解決しようとする課題】
【０００４】
ところで、特許文献１等のカバーは、高温の給湯管に人の手や体が触れることを防止するための部材であり、給湯管のみに取り付けられる。この場合、給湯管がカバーで覆われる一方、給水管は露出した状態となることから見栄えが良くない。そこで、給水管にも同様のカバーを取り付けて見栄えを良くすることが考えられる。
【０００５】
しかしながら、特許文献１等のカバーは、給湯管の形に合わせた形状を有しているため、給水管に取り付けようとして、２つの切欠部６１の他方に混合栓本体と給水管の接合部を挿通させ、一方に水量調整部を配置しようとすると、壁面と給湯管の接合部を挿通させることができない。そのため、給湯管と鏡像対称となる給水管には被せることができず、給水管にもカバーを被せるには、給水管の形に合わせた別のカバーを用意しなければならなかった。給湯管と給水管とで別のカバーを用いると、カバーの種類が増えてコストが高くなるとともに、カバーの種類を確認しながら取り付け作業を行う必要があるため、作業性が低下するという課題を有している。本発明は、こうした事情に鑑みてなされたものであり、その目的は、給湯管及び給水管の両方に取り付けることのできるカバー及び該カバーを備えた水栓を提供することにある。
【課題を解決するための手段】
【０００６】
上記課題を解決するためのカバーは、壁面と水栓本体との間に設置され、管本体と、管本体から前記水栓本体側に突出するように設けられた水栓本体側接続部と、管本体から前記壁面側に突出するように設けられた壁面側接続部とを有する管体に対して、側方から被せて用いるカバーであって、前記管体の前方を覆う前壁と、前記管体の側方を覆うとともに、管体挿入用開口部を有する周壁とを備え、前記前壁には、前記水栓本体側接続部を挿通可能な第１前側開口部及び第２前側開口部が設けられ、前記第１前側開口部に前記水栓本体側接続部を挿通するように被せた際、前記壁面側接続部を挿通可能な第２後側開口部を有するとともに、前記第２前側開口部に前記水栓本体側接続部を挿通するように被せた際、前記壁面側接続部を挿通可能な第１後側開口部を有することを要旨とする。
【０００７】
この構成によれば、給湯管（管体）に対しては、第１前側開口部に水栓本体側接続部を挿通させ、第２後側開口部に壁面側接続部を挿通させた状態とし、給水管（管体）に対しては、第２前側開口部に水栓本体側接続部を挿通させ、第１後側開口部に壁面側接続部を挿通させた状態とすることで、給湯管及び給水管のどちらにもカバーを取り付けることができる。給湯管用と給水管用を兼用するカバーを用いることにより、コストを低減することができるとともに、取り付け時の作業性を向上させることができる。
【０００８】
上記カバーについて、前記管体は、前記管本体の前記水栓本体側に設けられた流量調整部を有し、前記第１前側開口部に前記水栓本体側接続部を挿通した際、前記第２前側開口部から前記流量調整部が前面側に露出するとともに、前記第２前側開口部に前記水栓本体側接続部を挿通した際、前記第１前側開口部から前記流量調整部が前面側に露出することが好ましい。この構成によれば、給湯管（管体）に対しては、第１前側開口部に水栓本体側接続部を挿通させ、第２前側開口部に流量調整部を露出させ、第２後側開口部に壁面側接続部を挿通させた状態とし、給水管（管体）に対しては、第１前側開口部に流量調整部を露出させ、第２前側開口部に水栓本体側接続部を挿通させ、第１後側開口部に壁面側接続部を挿通させた状態とすることで、給湯管及び給水管のどちらにもカバーを取り付けることができる。給湯管用と給水管用を兼用するカバーを用いることにより、コストを低減することができるとともに、取り付け時の作業性を向上させることができる。
【０００９】
上記カバーについて、前記管体の後方を覆う後壁を備え、前記第１後側開口部及び前記第２後側開口部は、前記管体挿入用開口部から前記後壁が切り欠かれて形成されていることが好ましい。この構成によれば、管体にカバーが被せられた状態において、管体の後方側を後壁で保護することができる。したがって、管体の後方側に人の手や体が触れることが好適に抑制される。
【００１０】
上記カバーについて、前記後壁において、前記第１後側開口部は、前後方向において前記第１前側開口部に重なる位置に設けられ、前記第２後側開口部は、前記第２前側開口部に重なる位置に設けられていることが好ましい。この構成によれば、給湯管と給水管でカバーを兼用するうえで最低限必要な領域に後側開口部が設けられた構成となる。したがって、後壁における後側開口部以外の領域を大きくして、管体の後方側を好適に保護することができる。
【００１１】
上記カバーについて、前記管体に対して位置決め状態に係合する係合部を備えることが好ましい。この構成によれば、係合部によってカバーを好適に取り付けることができる。
上記カバーを備えた水栓であることが好ましい。この構成によれば、上記カバーの機能を奏する水栓とすることができる。
【発明の効果】
【００１２】
本発明のカバーによれば、給湯管及び給水管の両方に取り付けることができる。
【図面の簡単な説明】
【００１３】
【図１】本実施形態のカバーを取り付けた混合水栓の斜視図。
【図２】（ａ）、（ｂ）は管体とカバーの斜視図。
【図３】本実施形態のカバーにおける、（ａ）は斜視図、（ｂ）は正面図、（ｃ）は底面図、（ｄ）は平面図、（ｅ）は左側面図、（ｆ）は右側面図、（ｇ）は背面図。
【図４】変更例１のカバーにおける、（ａ）は斜視図、（ｂ）は正面図、（ｃ）は底面図、（ｄ）は平面図、（ｅ）は左側面図、（ｆ）は右側面図、（ｇ）は背面図。
【図５】変更例２のカバーにおける、（ａ）は斜視図、（ｂ）は正面図、（ｃ）は底面図、（ｄ）は平面図、（ｅ）は左側面図、（ｆ）は右側面図、（ｇ）は背面図。
【図６】変更例３のカバーにおける、（ａ）は斜視図、（ｂ）は正面図、（ｃ）は底面図、（ｄ）は平面図、（ｅ）は左側面図、（ｆ）は右側面図、（ｇ）は背面図。
【図７】変更例４のカバーにおける、（ａ）は斜視図、（ｂ）は正面図、（ｃ）は底面図、（ｄ）は平面図、（ｅ）は左側面図、（ｆ）は右側面図、（ｇ）は背面図。
【図８】変更例５のカバーにおける、（ａ）は斜視図、（ｂ）は正面図、（ｃ）は底面図、（ｄ）は平面図、（ｅ）は左側面図、（ｆ）は右側面図、（ｇ）は背面図。
【図９】従来技術のカバーの斜視図。
【発明を実施するための形態】
【００１４】
以下、本発明の一実施形態を説明する。
まず、本実施形態のカバー４０が取り付けられる管体１２について説明する。
図１及び図２に示すように、水栓１０は、水栓本体１０Ａと、浴室の壁面１１から突出するとともに水栓本体１０Ａに接続される管体１２としての給湯管１３Ａ及び給水管１３Ｂとによって構成される。水栓１０は、湯水を切替えることが可能な混合水栓として機能する。なお、以下では、給湯管１３Ａ及び給水管１３Ｂにおける水栓本体１０Ａ側を前側、壁面１１側を後側として説明する。
【００１５】
図２（ａ）に示すように、給湯管１３Ａと給水管１３Ｂは、斜め上方に延びる管本体１７と、管本体１７の下部において後側に突出するように延びる壁面側接続部１４と、管本体１７の上部において前側に突出するように延びる水栓本体側接続部１５とを有して、クランク状に形成されている。壁面側接続部１４は、その外周面にネジ溝を有し、ネジ溝が壁面１１にネジ止めされることにより、給湯管１３Ａは壁面１１に接続される。水栓本体側接続部１５はナット１５Ａを有し、ナット１５Ａを介して水栓本体１０Ａと給湯管１３Ａとが接続される。また、ナット１５Ａを介して水栓本体１０Ａと給水管１３Ｂとが接続される。管本体１７の前面側における壁面側接続部１４の反対側に位置する部分には、壁面側接続部１４を流れる湯水の量を調整する流量調整部１６が設けられている。水栓本体１０Ａが取り付けられた状態において、前側から流量調整部１６を操作することができるように、流量調整部１６は水栓本体１０Ａより下方側に設けられる。
【００１６】
給湯管１３Ａは、壁面１１側に向かって左側に配置されるとともに、管本体１７が右斜め上に延びるように配置されている。給水管１３Ｂは、壁面１１側に向かって右側に配置されるとともに、管本体１７が左斜め上に延びるように配置されている。給湯管１３Ａと給水管１３Ｂは、その配置のみが異なっている。
【００１７】
図１及び図２（ｂ）に示すように、給湯管１３Ａと給水管１３Ｂには、側方側からカバー４０が被せられている。以下、カバー４０について説明する。
図３に示すように、カバー４０は、互いに平行に配置される前壁４０Ａ及び後壁４０Ｃと、前壁４０Ａ及び後壁４０Ｃの周縁に沿って形成され、前壁４０Ａと後壁４０Ｃとをつなぐ周壁４０Ｂとを備えている。周壁４０Ｂの一部には、管本体１７を差し込み可能な大きさの管体挿入用開口部４１が設けられており、カバー４０は、一方側が開放された箱状に形成されている。
【００１８】
前壁４０Ａは、管本体１７の前方を覆う部位であり、前壁４０Ａには、管体挿入用開口部４１から切り欠かれた第１前側開口部４２及び第２前側開口部４３が設けられている。第１前側開口部４２と第２前側開口部４３との間の距離は、管本体１７の前面側における水栓本体側接続部１５と流量調整部１６との間の距離に等しくなるように設定されている。また、第１前側開口部４２及び第２前側開口部４３は、水栓本体側接続部１５を挿通可能、かつ管体挿入用開口部４１側から水栓本体側接続部１５を差し込み可能な大きさに設定されている。
【００１９】
周壁４０Ｂは、管本体１７の側方を覆う部位である。図３（ｂ）に示すように、周壁４０Ｂの内面側には、管本体１７と周壁４０Ｂとの間に隙間を形成するための突起部４８が設けられている。
【００２０】
後壁４０Ｃは、管本体１７の後方を覆う部位であり、後壁４０Ｃには、管体挿入用開口部４１から切り欠かれた後側開口部４４としての第１後側開口部４４Ａと第２後側開口部４４Ｂとが設けられている。第１後側開口部４４Ａは、前壁４０Ａと後壁４０Ｃとが対向する方向において、第１前側開口部４２に重なる位置に設けられ、第２後側開口部４４Ｂは、第２前側開口部４３に重なる位置に設けられている。また、第１後側開口部４４Ａ及び第２後側開口部４４Ｂは、管体１２の壁面側接続部１４を挿通可能、かつ管体挿入用開口部４１側から壁面側接続部１４を差し込み可能な大きさに設定されている。
【００２１】
図３（ｄ）に示すように、カバー４０は、第１前側開口部４２と第２前側開口部４３の縁に沿ってカバー４０の前後方向における前側に突出する袖部４５を備える。袖部４５は、管体１２にカバー４０が被せられた際、ナット１５Ａと流量調整部１６の側面を覆うように構成されている。袖部４５には、管体挿入用開口部４１側から所定長さの切り込み４５Ａが形成され、袖部４５における切り込み４５Ａよりも前側の部分に構成される係合部４６は、第１前側開口部４２と第２前側開口部４３の縁よりも内側に位置している。カバー４０の材質は特に限定されるものではないが、樹脂製であると軽量で且つ耐久性に優れるため好ましい。
【００２２】
次に、管体１２にカバー４０を取り付ける方法について説明する。
図２に示すように、カバー４０を給湯管１３Ａに取り付ける際には、給湯管１３Ａの左側方からカバー４０を被せる。その際、管体挿入用開口部４１に給湯管１３Ａの管本体１７が挿入される。カバー４０が被せられた状態で、第１前側開口部４２に給湯管１３Ａの水栓本体側接続部１５が挿通し、第２前側開口部４３から流量調整部１６が前面側に露出する。また、第２前側開口部４３に重なる第２後側開口部４４Ｂに壁面側接続部１４が挿通する。第１前側開口部４２側の係合部４６がナット１５Ａの側面に係合することにより、カバー４０は位置決め状態で固定される。
【００２３】
このカバー４０を給水管１３Ｂに取り付ける際には、給水管１３Ｂの右側方からカバー４０を被せる。その際、管体挿入用開口部４１に給水管１３Ｂの管本体１７が挿入される。カバー４０が被せられた状態で、第１前側開口部４２から流量調整部１６が前面側に露出し、第２前側開口部４３に給水管１３Ｂの水栓本体側接続部１５が挿通する。また、第１前側開口部４２に重なる第１後側開口部４４Ａに壁面側接続部１４が挿通する。第２前側開口部４３側の係合部４６がナット１５Ａの側面に係合することにより、カバー４０は位置決め状態で固定される。
【００２４】
本実施形態の作用及び効果を説明する。
（１）給湯管１３Ａに対しては、第１前側開口部４２に水栓本体側接続部１５を挿通させ、第２前側開口部４３に流量調整部１６を露出させ、第２後側開口部４４Ｂに壁面側接続部１４を挿通させた状態とする。給水管１３Ｂに対しては、第１前側開口部４２に流量調整部１６を露出させ、第２前側開口部４３に水栓本体側接続部１５を挿通させ、第１後側開口部４４Ａに壁面側接続部１４を挿通させた状態とする。これにより、給湯管１３Ａ及び給水管１３Ｂのどちらにもカバー４０を取り付けることができる。給湯管１３Ａ用と給水管１３Ｂ用を兼用するカバー４０を用いることにより、コストを低減することができるとともに、取り付け時の作業性を向上させることができる。
【００２５】
（２）管体１２の後方側を覆う後壁４０Ｃを備えていることにより、管体１２の後方側を後壁４０Ｃで保護することができる。したがって、管体１２の後方側に人の手や体が触れることが好適に抑制される。
【００２６】
（３）第１後側開口部４４Ａは、前後方向において第１前側開口部４２に重なる位置に設けられ、第２後側開口部４４Ｂは、第２前側開口部４３に重なる位置に設けられている。これにより、給湯管１３Ａと給水管１３Ｂでカバー４０を兼用するうえで最低限必要な位置に第１後側開口部４４Ａ及び第２後側開口部４４Ｂが設けられた構成となる。したがって、後壁４０Ｃにおける第１後側開口部４４Ａ及び第２後側開口部４４Ｂ以外の領域を大きくして、管体１２の後方側を好適に保護することができる。
【００２７】
（４）管体１２に対して位置決め状態に係合する係合部４６を備える。したがって、係合部４６によってカバー４０を好適に取り付けることができる。
（５）周壁４０Ｂの内面側には、管体１２と周壁４０Ｂとの間に隙間を形成するための突起部４８が設けられている。突起部４８が設けられていることにより、給湯管１３Ａの熱がカバー４０に伝わることが抑制される。したがって、カバー４０の温度が過度に高くなることを抑制することができる。
【００２８】
本実施形態は、次のように変更して実施することも可能である。また、上記実施形態の構成や以下の変更例に示す構成を適宜組み合わせて実施することも可能である。
・図４に示す変更例１のように、第１前側開口部４２、第２前側開口部４３に重なる領域を一つの後側開口部４４としてもよい。すなわち、第１後側開口部４４Ａと第２後側開口部４４Ｂが繋がっていてもよい。この場合、図５に示す変更例２のように、後壁４０Ｃを省略してカバー４０の後ろ側全体を後側開口部４４としてもよい。
【００２９】
・図６に示す変更例３のように、カバー４０の周壁４０Ｂには、前壁４０Ａ側の角部分を切り欠いてなる切欠部４７が形成されていてもよい。切欠部４７が形成されていることにより、カバー４０を給湯管１３Ａや給水管１３Ｂに被せる際に、ナット１５Ａや流量調整部１６との干渉を抑制して、スムーズにカバー４０を被せることができる。
【００３０】
・図７に示す変更例４のように、カバー４０は前後方向に対称な形状を有していてもよい。この場合、対向する第１前側開口部４２と第１後側開口部４４Ａの大きさが同じになり、対向する第２前側開口部４３と第２後側開口部４４Ｂの大きさが同じになる。また、カバー４０の後側である第１後側開口部４４Ａ及び第２後側開口部４４Ｂ側にも、袖部４５及び係合部４６が形成される。これにより、カバー４０を給湯管１３Ａと給水管１３Ｂとで兼用する際、カバー４０の前後方向の向きに関係なく、カバー４０を取り付けることができる。したがって、取り付け時の作業性が好適に向上する。
【００３１】
・図８に示す変更例５のように、前壁４０Ａの管体挿入用開口部４１側が切り欠かれることにより、第１前側開口部４２と第２前側開口部４３が連結部４９を介して連結した構成であってもよい。前壁４０Ａが切り欠かれていることにより、カバー４０を被せる際に、前壁４０Ａと管体１２との干渉を抑制して、スムーズにカバー４０を被せることができる。
【００３２】
・管本体１７に流量調整部１６が設けられていなくてもよい。
・カバー４０の材質は樹脂製に限定されず、金属製やゴム製やセラミック製であってもよい。
【００３３】
・係合部４６は、ナット１５Ａの側面に係合する態様に限定されない。図６に示すように、管本体１７に係合する構成であってもよい。また、係合部４６は、流量調整部１６や壁面側接続部１４に係合してもよい。
【００３４】
次に、上記実施形態及び別例から把握できる技術的思想について、以下に記載する。
（イ）カバーは前後方向に対称な形状を有し、第１後側開口部は第１前側開口部に重なる位置に設けられ、第２後側開口部は第２前側開口部に重なる位置に設けられ、対向する第１前側開口部と第１後側開口部が同じ形状を有するとともに、対向する第２前側開口部と第２後側開口部が同じ形状を有するカバー。
【符号の説明】
【００３５】
１０…水栓、１０Ａ…水栓本体、１１…壁面、１４…壁面側接続部、１５…水栓本体側接続部、１６…流量調整部、１７…管本体、４０…カバー、４０Ａ…前壁、４０Ｂ…周壁、４１…管体挿入用開口部、４２…第１前側開口部、４３…第２前側開口部、４４Ａ…第１後側開口部、４４Ｂ…第２後側開口部。
【図１】
2018104922.tif 000003
【図２】
2018104922.tif 000004
【図３】
2018104922.tif 000005
【図４】
2018104922.tif 000006
【図５】
2018104922.tif 000007
【図６】
2018104922.tif 000008
【図７】
2018104922.tif 000009
【図８】
2018104922.tif 000010
【図９】
2018104922.tif 000011